(57)【要約】【課題】端子電圧から負極の劣化及び正極の劣化を適切に判定して、二次電池の充電時の温度を適切に調整できないこと。【解決手段】二次電池装置は、正極、負極及び電解液を有する二次電池を備える。二次電池装置は、二次電池の充電を制御する充電制御装置をさらに備えてよい。充電制御装置は、二次電池の端子電圧を示す情報を取得する電圧情報取得部を有してよい。充電制御装置は、端子電圧の時間変化に基づいて、負極の劣化及び正極の劣化を判定する電極劣化判定部をさらに有してよい。充電制御装置は、負極が劣化しているか正極が劣化しているかに応じて、二次電池の充電時の二次電池の温度を調整する温度調整部を有してよい。【選択図】図１
2017168361.tif 000002
【特許請求の範囲】
【請求項１】
正極、負極及び電解液を有する二次電池と、
前記二次電池の充電を制御する充電制御装置と
を備え、
前記充電制御装置は、
前記二次電池の端子電圧を示す情報を取得する電圧情報取得部と、
前記端子電圧の時間変化に基づいて、前記負極の劣化及び前記正極の劣化を判定する電極劣化判定部と、
前記負極が劣化しているか前記正極が劣化しているかに応じて、前記二次電池の充電時の前記二次電池の温度を調整する温度調整部と
を有する二次電池装置。
【請求項２】
前記電極劣化判定部は、前記二次電池のＳＯＣが予め定められた第１ＳＯＣより小さい第１充電期間内の前記端子電圧の時間変化に基づいて、前記正極が劣化しているか否かを判定する
請求項１に記載の二次電池装置。
【請求項３】
前記電極劣化判定部は、前記第１充電期間内の前記端子電圧の時間変化量が予め定められた値より大きい場合に、前記正極が劣化していると判定する
請求項２に記載の二次電池装置。
【請求項４】
前記電極劣化判定部は、前記第１充電期間内の前記端子電圧の時間変化と、前記二次電池のＳＯＣが前記第１ＳＯＣより大きく予め定められた第２ＳＯＣより小さい第２充電期間内の前記端子電圧の時間変化とに基づいて、前記負極が劣化しているか否かを判定する
請求項２又は３に記載の二次電池装置。
【請求項５】
前記電極劣化判定部は、前記第１充電期間中の前記端子電圧の時間変化量に対する、前記第２充電期間内の前記端子電圧の時間変化量の比が予め定められた値より大きい場合に、前記負極が劣化していると判定する
請求項４に記載の二次電池装置。
【請求項６】
前記電極劣化判定部は、前記二次電池の満充電後の開回路端子電圧の時間変化に基づいて、前記負極が劣化しているか否かを判定する
請求項１から５のいずれか一項に記載の二次電池装置。
【請求項７】
前記電極劣化判定部は、前記二次電池の満充電後の開回路端子電圧の時間変化量が予め定められた値より大きい場合に、前記負極が劣化していると判定する
請求項１から６のいずれか一項に記載の二次電池装置。
【請求項８】
前記温度調整部は、前記負極が劣化していると判定された場合に、前記充電時の前記二次電池の温度を上昇させる
請求項１から７のいずれか一項に記載の二次電池装置。
【請求項９】
前記温度調整部は、前記正極が劣化していると判定された場合に、前記充電時の前記二次電池の温度を降下させる
請求項１から８のいずれか一項に記載の二次電池装置。
【請求項１０】
前記温度調整部は、前記負極が劣化しているか前記正極が劣化しているかに応じて、前記二次電池の充電方法を制御することなく前記充電時の前記二次電池の温度を調整する
請求項１から９のいずれか一項に記載の二次電池装置。
【請求項１１】
前記二次電池の冷却及び加温の少なくとも一方を行う調温装置
をさらに備え、
前記温度調整部は、前記調温装置を制御することにより、前記充電時の前記二次電池の温度を調整する
請求項１から１０のいずれか一項に記載の二次電池装置。
【請求項１２】
前記二次電池は、鉛蓄電池である
請求項１から１１のいずれか一項に記載の二次電池装置。
【請求項１３】
正極、負極及び電解液を有する二次電池の端子電圧を示す情報を取得する電圧情報取得部と、
前記端子電圧の時間変化に基づいて、前記負極の劣化及び前記正極の劣化を判定する電極劣化判定部と、
前記負極が劣化しているか前記正極が劣化しているかに応じて、前記二次電池の充電時の前記二次電池の温度を調整する温度調整部と
を備える充電制御装置。
【請求項１４】
正極、負極及び電解液を有する二次電池の端子電圧を示す情報を取得する段階と、
前記端子電圧の時間変化に基づいて、前記負極の劣化及び前記正極の劣化を判定する段階と、
前記負極が劣化しているか前記正極が劣化しているかに応じて、前記二次電池の充電時の前記二次電池の温度を調整する段階と
を備える充電制御方法。
【発明の詳細な説明】
【技術分野】
【０００１】
本発明は、二次電池装置、充電制御装置及び充電制御方法に関する。
【背景技術】
【０００２】
鉛蓄電池の充電抵抗及び温度を検出して、鉛蓄電池のサルフェーション劣化判定を行うと共に、サルフェーション劣化判定結果に基づき、鉛蓄電池のサルフェーション劣化を抑制する制御を行う技術（例えば特許文献１参照）がある。
特許文献１  特開２００８−１４７００５号公報
【発明の概要】
【発明が解決しようとする課題】
【０００３】
端子電圧から負極の劣化及び正極の劣化を適切に判定して、二次電池の充電時の温度を適切に調整することができないという課題があった。そのため、例えば鉛蓄電池においては、サルフェーションや正極腐食が促進されることを適切に抑制できない場合がある。
【課題を解決するための手段】
【０００４】
二次電池装置は、正極、負極及び電解液を有する二次電池を備える。二次電池装置は、二次電池の充電を制御する充電制御装置をさらに備えてよい。充電制御装置は、二次電池の端子電圧を示す情報を取得する電圧情報取得部を有してよい。充電制御装置は、端子電圧の時間変化に基づいて、負極の劣化及び正極の劣化を判定する電極劣化判定部をさらに有してよい。充電制御装置は、負極が劣化しているか正極が劣化しているかに応じて、二次電池の充電時の二次電池の温度を調整する温度調整部を有してよい。
【０００５】
電極劣化判定部は、二次電池のＳＯＣが予め定められた第１ＳＯＣより小さい第１充電期間内の端子電圧の時間変化に基づいて、正極が劣化しているか否かを判定してよい。
【０００６】
電極劣化判定部は、第１充電期間内の端子電圧の時間変化量が予め定められた値より大きい場合に、正極が劣化していると判定してよい。
【０００７】
電極劣化判定部は、第１充電期間内の端子電圧の時間変化と、二次電池のＳＯＣが第１ＳＯＣより大きく予め定められた第２ＳＯＣより小さい第２充電期間内の端子電圧の時間変化とに基づいて、負極が劣化しているか否かを判定してよい。
【０００８】
電極劣化判定部は、第１充電期間中の端子電圧の時間変化量に対する、第２充電期間内の端子電圧の時間変化量の比が予め定められた値より大きい場合に、負極が劣化していると判定してよい。
【０００９】
電極劣化判定部は、二次電池の満充電後の開回路端子電圧の時間変化に基づいて、負極が劣化しているか否かを判定してよい。
【００１０】
電極劣化判定部は、二次電池の満充電後の開回路端子電圧の時間変化量が予め定められた値より大きい場合に、負極が劣化していると判定してよい。
【００１１】
温度調整部は、負極が劣化していると判定された場合に、充電時の二次電池の温度を上昇させてよい。
【００１２】
温度調整部は、正極が劣化していると判定された場合に、充電時の二次電池の温度を降下させてよい。
【００１３】
温度調整部は、負極が劣化しているか正極が劣化しているかに応じて、二次電池の充電方法を制御することなく充電時の二次電池の温度を調整してよい。
【００１４】
二次電池の冷却及び加温の少なくとも一方を行う調温装置をさらに備えてよい。温度調整部は、調温装置を制御することにより、充電時の二次電池の温度を調整してよい。
【００１５】
二次電池は、鉛蓄電池であってよい。
【００１６】
正極、負極及び電解液を有する二次電池の端子電圧を示す情報を取得する電圧情報取得部を備えてよい。端子電圧の時間変化に基づいて、負極の劣化及び正極の劣化を判定する電極劣化判定部を備えてよい。負極が劣化しているか正極が劣化しているかに応じて、二次電池の充電時の二次電池の温度を調整する温度調整部をさらに備えてよい。
【００１７】
充電制御方法は、第２の太陽においては、正極、負極及び電解液を有する二次電池の端子電圧を示す情報を取得する段階を備えてよい。充電制御方法は、端子電圧の時間変化に基づいて、負極の劣化及び正極の劣化を判定する段階を備えてよい。充電制御方法は、負極が劣化しているか正極が劣化しているかに応じて、二次電池の充電時の二次電池の温度を調整する段階を備えてよい。
【００１８】
なお、上記の発明の概要は、本発明の特徴の全てを列挙したものではない。また、これらの特徴群のサブコンビネーションもまた、発明となりうる。
【図面の簡単な説明】
【００１９】
【図１】一実施形態における電源システム１２０の機能構成及び負荷９０を概略的に示す。
【図２】鉛蓄電池の充電時の端子電圧及び充電終了後の開回路電圧の時間変化の一例を概略的に示す。
【図３】鉛蓄電池の充電時の端子電圧の時間変化の一例を概略的に示す。
【図４】図２の横軸を拡大して示す。
【図５】蓄電システム２０における充放電制御方法を示すフローチャートである。
【図６】二次電池４０の温度設定の制御処理を示すフローチャートである。
【図７】正極及び負極が劣化しているか否かを判断する基準値を示す。
【発明を実施するための形態】
【００２０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００２１】
図１は、一実施形態における電源システム１２０の機能構成及び負荷９０を概略的に示す。電源システム１２０は、電源装置１０と蓄電システム２０とを備える。電源装置１０は、蓄電システム２０の入力端子１２に接続される。蓄電システム２０の出力端子１４には負荷９０が接続される。電源装置１０は交流電源であってよい。負荷９０は交流で動作する負荷であってよい。蓄電システム２０は、無停電電源装置（ＵＰＳ）において用いられてよい。また、蓄電システム２０は、太陽光発電装置、風力発電装置、燃料電池装置などの発電装置において用いられてよい。
【００２２】
蓄電システム２０は、コンバータ２２と、インバータ２４と、二次電池装置１００とを有する。二次電池装置１００は、充放電制御装置３０と、二次電池４０と、充放電装置５０と、端子電圧計測装置６０と、調温装置８０とを有する。充放電制御装置３０は、電圧情報取得部３１と、電極劣化判定部３３と、温度調整部３５とを有する。図１において、電源装置１０、コンバータ２２、インバータ２４、二次電池４０、充放電装置５０及び負荷９０の電気的接続は、単線図で示される。
【００２３】
充放電装置５０の一端は、コンバータ２２とインバータ２４との間のノード１６に電気的に接続される。充放電装置５０の他端は二次電池４０に電気的に接続される。
【００２４】
コンバータ２２は、電源装置１０から出力される交流電流を直流電流に変換する。コンバータ２２により変換された直流電流は、インバータ２４及び充放電装置５０の少なくとも一方に出力され得る。充放電装置５０は、二次電池４０の充放電を行う。具体的には、充放電装置５０は、コンバータ２２からの直流電流を、二次電池４０の充電用の直流電流に変換して、二次電池４０側に出力する充電回路を有する。二次電池４０は、充放電装置５０から出力される充電用の直流電流により充電される。また、充放電装置５０は、二次電池４０から出力される直流電流を、給電用の直流電流に変換して、ノード１６側に出力する放電回路を有する。給電用の直流電流は、インバータ２４に供給される。充放電制御装置３０は、充放電装置５０を制御することにより、二次電池４０の充放電を制御する。充放電制御装置３０は、二次電池４０の充電制御装置として機能する。また、充放電制御装置３０は、二次電池４０の放電制御装置としても機能する。
【００２５】
インバータ２４は、コンバータ２２から出力される直流電流及び充放電装置５０から出力される直流電流の少なくとも一方を、交流電流に変換して出力する。インバータ２４から出力された交流電流は、負荷９０に供給される。なお、負荷９０が直流で動作する場合は、インバータ２４を省略してよい。また、電源装置１０が直流を供給する場合は、コンバータ２２を省略してよい。
【００２６】
通常動作時において、電源システム１２０は、コンバータ２２及びインバータ２４を介して電源装置１０の電力を負荷９０に供給してよい。また、通常動作時において、充放電制御装置３０は、電源装置１０の電力で二次電池４０を充電してよい。非通常動作時において、蓄電システム２０は、二次電池４０に蓄えられている電力を負荷９０に供給してよい。
【００２７】
なお、蓄電システム２０がＵＰＳに用いられる場合、入力電源正常時には、電源装置１０からコンバータ２２及びインバータ２４を介して負荷９０に電力が供給される。これに対し、停電などの入力電源異常時には、二次電池４０から充放電装置５０及びインバータ２４を経て負荷９０に電力が供給される。入力電源異常は、例えば、電源装置１０からの電力について、電圧及び周波数の少なくとも一方が定常状態及び過渡変動範囲を外れた場合、又は、ひずみ若しくは電力瞬断時間が予め定められた限界値を超えた場合に発生してよい。なお、蓄電システム２０がＵＰＳに用いられる場合、電源装置１０は商用交流電源であってよい。また、電源装置１０は、商用交流電源以外の電源であってよい。なお、電源システム１２０は、蓄電システム２０をバイパスして、入力端子１２及び出力端子１４を介さずに電源装置１０の電力を負荷９０に供給する直送回路を有してよい。
【００２８】
また、蓄電システム２０が発電装置に用いられる場合、電源装置１０は発電機であってよい。例えば、電源装置１０は、太陽電池、風力発電機、燃料電池、内燃力発電機などの発電機であってよい。この場合、蓄電システム２０は電源装置１０の補助電源として機能してよい。電源装置１０の出力が規定値の場合には、電源装置１０からコンバータ２２及びインバータ２４を介して負荷９０に電力が供給される。この場合、二次電池４０は、電源装置１０からの電力のうち負荷９０によって消費されない余剰電力により充電されてよい。これに対し、電源装置１０に異常が生じた場合などには、二次電池４０から充放電装置５０及びインバータ２４を介して、負荷９０に電力が供給される。また、電源装置１０から負荷９０に供給される電力が、負荷９０が必要とする電力より小さい場合に、二次電池４０から充放電装置５０及びインバータ２４を介して、負荷９０に不足分の電力が供給されてよい。
【００２９】
二次電池４０は鉛蓄電池である。二次電池４０は、電極としての少なくとも１つの正極及び少なくとも１つの負極と、正極と負極との間に設けられたセパレータと、正極、負極及びセパレータが設けられた空間を満たす電解液を有する１以上の電池セルを有する。二次電池４０は、例えば直列接続された６つの電池セルを有するユニットであってよい。電池セルとは、一対の正極及び陰極を有する鉛蓄電池の最小単位を指す。
【００３０】
端子電圧計測装置６０は、二次電池４０の端子電圧を計測する。端子電圧計測装置６０は、二次電池４０を充電中の端子電圧を計測する。また、端子電圧計測装置６０は、二次電池４０の開回路電圧を計測する。例えば、端子電圧計測装置６０は、二次電池４０の電池セルから外部回路へ実質的に電流が流れていないときの電池端子間の電圧を計測する。端子電圧計測装置６０により計測された充電中の二次電池４０の開回路電圧の計測値及び開回路電圧は、充放電制御装置３０に供給される。
【００３１】
充放電制御装置３０において、電圧情報取得部３１は、二次電池４０の端子電圧を示す情報を取得する。電極劣化判定部３３は、端子電圧の時間変化に基づいて、負極の劣化及び正極の劣化を判定する。温度調整部３５は、負極が劣化しているか正極が劣化しているかに応じて、二次電池４０の充電時の二次電池４０の温度を調整する。
【００３２】
例えば、電極劣化判定部３３は、二次電池４０の充電時の端子電圧を示す情報を取得する。なお、二次電池４０の充電方法は特に問わない。二次電池４０はトリクル充電、フロート充電、間欠充電等を適用できる。そして、電極劣化判定部３３は、二次電池４０のＳＯＣ（Ｓｔａｔｅ  Ｏｆ  Ｃｈａｒｇｅ  電池の充電状態を示す。満充電時容量を100%として百分率で表す）が予め定められた第１ＳＯＣより小さい第１充電期間内の端子電圧の時間変化に基づいて、正極が劣化しているか否かを判定する。例えば、電極劣化判定部３３は、第１充電期間内の端子電圧の時間変化量が予め定められた値より大きい場合に、正極が劣化していると判定する。
【００３３】
また、電極劣化判定部３３は、第１充電期間内の端子電圧の時間変化と、二次電池４０のＳＯＣが第１ＳＯＣより大きく予め定められた第２ＳＯＣより小さい第２充電期間内の端子電圧の時間変化とに基づいて、負極が劣化しているか否かを判定する。例えば、電極劣化判定部３３は、第１充電期間中の端子電圧の時間変化量に対する、第２充電期間内の端子電圧の時間変化量の比が予め定められた値より大きい場合に、負極が劣化していると判定する。なお、端子電圧の時間変化に基づいて負極の劣化及び正極の劣化を判定する方法の一例については、後述する。
【００３４】
また、電極劣化判定部３３は、二次電池４０の満充電後の開回路端子電圧の時間変化に基づいて、負極が劣化しているか否かを判定する。例えば、電極劣化判定部３３は、二次電池４０の満充電後の開回路端子電圧の時間変化量が予め定められた値より大きい場合に、負極が劣化していると判定する。
【００３５】
温度調整部３５は、負極が劣化していると判定された場合に、充電時の二次電池４０の温度を上昇させる。充電時の二次電池４０の温度を上昇させることにより、充電抵抗が低くなる。そのため、例えば負極に生成した硫酸鉛の分解を促進することができる。一方、温度調整部３５は、正極が劣化していると判定された場合に、充電時の二次電池４０の温度を降下させる。充電時の二次電池４０の温度を降下させることにより、充電抵抗が高まる。そのため、充電反応が抑制される。これにより、例えば正極の劣化を抑制できる。
【００３６】
調温装置８０は、二次電池４０の冷却及び加温の少なくとも一方を行う。温度調整部３５は、調温装置８０を制御することにより、充電時の二次電池４０の温度を調整する。なお、温度調整部３５は、負極が劣化しているか正極が劣化しているかに応じて、二次電池４０の充電方法を制御することなく、充電時の二次電池４０の温度を調整してよい。例えば、充放電制御装置３０は、二次電池４０の理論起電力を大きく超える充電電圧まで充電電圧を上昇させることなく、調温装置８０を用いて二次電池４０を加温する。また、充放電制御装置３０は、二次電池４０にパルス電流を印加することなく、調温装置８０を用いて二次電池４０を加温する。これにより、二次電池４０の充電パターンを実質的に制御することなく、二次電池４０の温度を制御できる。そのため、充電制御回路が複雑化することを抑制できる。また、理論起電力を大きく超える電圧を印加したり高電圧のパルス電流を流したりする必要がないので、電解液の分解や正極の腐食が促進されることを抑制できる。
【００３７】
調温装置８０は、冷却ファンなどの冷却装置を有してよい。冷却装置は、二次電池４０に近接して設けられてよい。温度調整部３５は、二次電池４０の温度を下降させる場合、冷却装置の駆動を制御することにより、二次電池４０を冷却してよい。例えば、温度調整部３５は、二次電池４０の温度を下降させる場合、冷却ファンの駆動を開始する又は冷却ファンの回転数を上昇させることにより、二次電池４０を冷却してよい。
【００３８】
調温装置８０は、ヒータなどの加熱装置を有してよい。加熱装置は、二次電池４０に近接して設けられてよい。温度調整部３５は、二次電池４０の温度を上昇させる場合、ヒータ等の熱源の駆動を制御することにより、二次電池４０を加温してよい。例えば、温度調整部３５は、二次電池４０の温度を上昇させる場合、熱源を駆動する又は熱源から発せられる熱量を上昇させることにより、二次電池４０を冷却してよい。
【００３９】
調温装置８０は、空調装置を有してよい。空調装置は、二次電池４０が設けられた空間内に設けられてよい。温度調整部３５は、二次電池４０の温度を下降させる場合、空調装置の設定温度を下降させることにより、空気を介して二次電池４０を冷却してよい。また、温度調整部３５は、二次電池４０の温度を上昇させる場合、空調装置の設定温度を上昇させることにより、空気を介して二次電池４０を加温してよい。このように、調温装置８０として、ヒータ、冷却ファン、空調装置等を用いることで、二次電池４０の外部温度を直接変更して昇温、降温することができるので、二次電池４０の電池反応を確実に促進又は抑制し得る。
【００４０】
なお、二次電池４０の温度を上昇させる場合、温度調整部３５は、予め定められた基準電圧より高い充電電圧を二次電池４０に加えることによって、ジュール熱を発生させることも可能である。しかし、大容量の二次電池においては多くの場合、充電抵抗が比較的に低く、かつ、熱容量が比較的に大きい。このような場合は、ジュール熱によって電極が十分に発熱しない場合がある。この場合、ヒータ又は空調装置を用いれば、二次電池４０の外部環境温度を直接変更して二次電池４０を昇温することができるので、二次電池４０における充電時の化学反応を、より確実に促進することができる。また、空調装置又は冷却ファン等を用いることで、充電時の化学反応を、より確実に抑制することができる。また、調温装置８０を用いて硫酸鉛の除去を促進したり、電解液の電気分解や正極の腐食を緩和したりすることができる。そのため、充電電圧や充電タイミングなどの充電制御ロジックを変更する必要がない。
【００４１】
ここで、鉛蓄蓄電池の負極及び正極の劣化について説明する。鉛蓄電池においては、充電時に下記の半反応が進む。
（正極反応）ＰｂＳＯ４＋２Ｈ２Ｏ  →  ＰｂＯ２＋４Ｈ＋＋ＳＯ４２−＋２ｅ−
（負極反応）ＰｂＳＯ４＋２ｅ−  →  Ｐｂ＋ＳＯ４２−
また、放電時には、充電時とは逆の下記の半反応が進む。
（正極反応）ＰｂＯ２＋４Ｈ＋＋ＳＯ４２−＋２ｅ−  →  ＰｂＳＯ４＋２Ｈ２Ｏ
（負極反応）Ｐｂ＋ＳＯ４２−  →  ＰｂＳＯ４＋２ｅ−
鉛蓄電池においては放電により負極に形成された硫酸鉛により、サルフェーションが促進される場合がある。
【００４２】
電極に形成された硫酸鉛は、速やかに十分な充電を行えば分解されて電解液に戻り得る。しかし、硫酸鉛が付着した状態が継続すると、電極に形成された硫酸鉛が結晶化して硬質化する。硫酸鉛が硬質化すると、充電によっても上記の反応は実質的に起こらない。したがって、結晶化した硫酸鉛が電極を被うことで、電極の有効面積が減少する。これにより、各電極における反応が進みにくくなり、放電性能が低下し得る。また、結晶化した硫酸鉛の量が多くなるほど、電気エネルギーの蓄積を担う電解液中の鉛イオン及び硫酸イオンが減少する。そのため、結晶化した硫酸鉛が増えるほど、蓄電性能が低下し得る。場合によっては、鉛蓄電池の充電が困難になってしまう場合がある。このようにして、負極は、主として硫酸鉛により劣化し得る。
【００４３】
また、鉛蓄電池が過充電されると、電解液中の水が電気分解されて鉛蓄電池の外部に失われる。また、電解液は、蒸発及び透湿などによっても鉛蓄電池の外部に失われる。これにより、電解液濃度が経時的に上昇し得る。例えば、電解液中の水分が失われることで、鉛蓄電池の充電率が規定値である場合における硫酸濃度が、経時的に上昇し得る。これにより、正極の電極格子の腐食が進む。このようにして、正極の劣化が進む。
【００４４】
これに対し、充放電制御装置３０によれば、例えば二次電池４０の端子電圧から負極の劣化及び正極の劣化を適切に判定して、二次電池４０の充電時の温度を適切に調整することができる。そのため、例えばサルフェーションの進行や正極腐食の促進を、適切に抑制し得る。ひいては、電池寿命を延ばし得る。
【００４５】
図２は、鉛蓄電池の充電時の端子電圧及び充電終了後の開回路電圧の時間変化の一例を概略的に示す。図２のグラフの横軸は時刻を示す。図２のグラフの縦軸は、端子電圧２００、正極電位２１０及び負極電位２２０を示す。なお、端子電圧２００、正極電位２１０及び負極電位２２０の関係を分かり易く示すことを目的として、図２における端子電圧２００は、予め定められた基準電圧からの差である。また、正極電位２１０及び負極電位２２０は、それぞれ予め定められた基準電位からの電位差である。なお、正極電位２１０及び負極電位２２０は、例えば３端子法により測定され得る。
【００４６】
時刻ｔ０は、充電開始時を示す。時刻ｔ０における二次電池４０のＳＯＣは、予め定められた最低値であるとする。この時点のＳＯＣを便宜的に０％とする。時刻ｔ３における二次電池４０のＳＯＣは、予め定められた最大値であるとする。この時点のＳＯＣを便宜的に１００％とする。
【００４７】
図３は、鉛蓄電池の充電時の端子電圧の時間変化の一例を概略的に示す。図３のグラフの横軸は、鉛蓄電池のＳＯＣを示す。図３のグラフは、図２の時刻ｔ０かｔ３までの時刻の電圧変化量を、ＳＯＣを横軸にとって示したものである。時刻ｔ１におけるＳＯＣをＳＯＣ１とし、時刻ｔ２におけるＳＯＣをＳＯＣ２とする。
【００４８】
時刻ｔ０からｔ１の期間においては、正極電位２１０は、負極電位２２０の大きさより大きい。そのため、正極電位２１０が、端子電圧２００に大きく寄与していることが分かる。そのため、この期間においては、端子電圧２００は、正極電位の劣化を実質的に反映しているとみせる。例えば正極が腐食により劣化して充電抵抗が高まると、充電電流によって正極電位２１０が大きくなる。したがって、この期間において端子電圧２００が予め定められた値より大きい場合は、正極が劣化していると判断できる。例えば、正極の劣化の度合いを、端子電圧２００の傾きから判断する。例えば、予め定められた時点における直線２５０の傾きαが予め定められた値より大きい場合に、正極が劣化していると判断できる。なお、αを、正極の劣化の度合いを示す指標として用いてよい。また、ＳＯＣが予め定められた値におけるαを、正極の劣化の度合いを示す指標として用いてよい。これにより、正極の劣化度合いをより正確に評価できる。また、図２に示す端子電圧２００は、充電電流に依存し得る。そのため、正極の劣化度合いとしてαを用いる場合、充電電流で規格化した値を用いることが好ましい。
【００４９】
時刻を横軸にした場合と同様に、図３に示すように横軸をＳＯＣにとった場合も、ＳＯＣが０からＳＯＣ１の範囲において、正極の劣化を同様に評価することができる。例えば、直線３５０の傾きα'が予め定められた値より大きい場合に、正極が劣化していると判断できる。また、α'を、正極の劣化の度合いを示す指標として用いてよい。
【００５０】
図２の時刻ｔ１からｔ３の期間においては、正極電位２１０だけでなく、負極電位２２０も、端子電圧２００に大きく寄与していることが分かる。そこで、特に時刻ｔ１からｔ２の期間のように、端子電圧２００が時間的に変化する期間のデータから、負極が劣化しているか否かを判断できる。
【００５１】
具体的には、時刻ｔ１からｔ２の期間内の端子電圧２００の傾きから、正極及び負極の総合的な劣化の度合いを判断できる。例えば、予め定められた時点における直線２６０の傾きβから、正極及び負極の総合的な劣化の度合いを判断する。ここで、正極の劣化の度合いは、上述したように時刻ｔ０からｔ１の期間の傾きαで判断し得る。そのため、例えば、比率β／αに基づいて、負極が劣化しているか否かを判断する。例えば、β／αが、予め定められた値より大きい場合に、負極が劣化していると判断する。なお、β／αを、負極の劣化度合いを示す指標として用いてよい。また、ＳＯＣが予め定められた値におけるβ／αを、負極の劣化の度合いを示す指標として用いてよい。これにより、正極の劣化度合いをより正確に評価できる。また、図２に示す端子電圧２００は、充電電流の時間変化に依存し得る。そのため、負極の劣化度合いとしてβ／αを用いる場合、充電電流で規格化した値を用いることが好ましい。
【００５２】
時刻を横軸にした場合と同様に、図３に示すように横軸をＳＯＣにとった場合も、ＳＯＣがＳＯＣ１からＳＯＣ２の範囲において、負極の劣化を同様に評価することができる。例えば、傾きα'に対する、直線３６０の傾きβ'に基づいて、負極が劣化しているか否かを判断してよい。例えば、β'／α'が予め定められた値より大きい場合に、負極が劣化していると判断する。また、β'／α'を、負極の劣化度合いを示す指標として用いてよい。
【００５３】
このように、端子電圧２００が正極律速になるＳＯＣ範囲と負極律速になるＳＯＣ範囲とがある。図３の例では、０からＳＯＣ１までが正極律速となるＳＯＣ範囲であり、ＳＯＣ１からＳＯＣ２までが負極律速となるＳＯＣ範囲である。なお、ＳＯＣ１は、２０〜３０％程度であり、ＳＯＣ２は、３０〜４０％程度であってよい。正極律速になるＳＯＣ範囲及び負極律速になるＳＯＣ範囲は、この範囲に限られず、二次電池毎に異り得る。そのため、二次電池毎に、ＳＯＣ１及びＳＯＣ２として適切な値が用いられてよい。例えば、ＳＯＣ１及びＳＯＣ２として適切な値が、二次電池４０に予め定められてよい。
【００５４】
なお、二次電池装置１００の充放電制御装置３０において、電極劣化判定部３３は、計測された端子電圧及びＳＯＣを解析することにより、ＳＯＣ１及びＳＯＣ２を決定してよい。例えば、電極劣化判定部３３は、ＳＯＣ−端子電圧の傾き及び変曲点を解析することにより、ＳＯＣ１及びＳＯ２を決定してよい。
【００５５】
負極の劣化はまた、時刻ｔ３より後における端子電圧２００から判断することができる。これについては図４に関連して説明する。
【００５６】
図４は、図２の横軸を拡大して示す。時刻ｔ３において、二次電池４０の充電を停止して開回路状態にすると、負極電位２２０及び正極電位２１０は時間的に減少する。そのため、端子電圧２００も時間的に減少する。ここで、図４に示されるように、負極電位２２０は、時刻ｔ３の直後から、正極電位２１０より急速に減少して０になる。
【００５７】
正極電位２１０及び負極電位２２０の減少は、主として、充電時の充電電流による電圧寄与成分が無くなることと、電極の周りに形成された電気二重層に蓄えられた電荷が自己放電により減少することによる。
【００５８】
負極電位２２０の低下について説明する。結晶化した硫酸鉛が負極に付着していると、負極における充電抵抗が大きくなる。そのため、充電時には、充電電流による電圧寄与成分が大きくなる。この状態で充電を停止して充電電流が０になると、負極電位は大きく減少することになる。また、結晶化した硫酸鉛が負極に付着していると、電池反応に対する負極の有効表面積が低下する。そのため、電気二重層容量が低下する。一方で、電気二重層の自己放電速度は実質的に変化しない。したがって、充電を停止すると、電気二重層が速やかに解消されるので、負極電位は速やかに減少する。このように、負極が劣化するほど、負極電位の時間あたりの減少量が大きくなり得る。
【００５９】
また、負極の電気二重層が解消する速度は、正極の電気二重層が解消する速度より早い。イオン半径の差から負極における水素イオンの移動度が、正極における硫酸イオンの移動度より高いためである。また、正極格子が腐食することによる充電抵抗の増加や表面積の減少は、負極の劣化による充電抵抗の増加や表面積の減少に比べて大きくない。そのため、充電停止後の端子電圧２００は、正極電位２１０よりも負極電位２２０の影響を大きく受ける。そのため、充電停止後に二次電池４０を開回路状態にした場合の端子電圧２００の時間当たりの減少量に基づいて、負極の劣化を判断できる。例えば、端子電圧２００の時間当たりの減少量が予め定められた値を超える場合に、負極が劣化していると判断する。なお、端子電圧２００の時間当たりの減少量を、負極の劣化度合いの指標として用いてよい。なお、端子電圧２００の時間当たりの減少量は、充電を停止してから、負極の電気二重層が解消するのに要する最短時間から定まる予め定められた期間内に、計測されるのが好ましい。
【００６０】
なお、開回路電圧から負極の劣化を判断するためには、二次電池４０を開回路状態にする必要がある。そのため、二次電池装置１００が運用状態から非運用状態になった場合に、開回路電圧を計測して、負極の劣化を判断してよい。例えば、二次電池４０がＵＰＳに用いられる場合には、ＵＰＳの定期点検時に、二次電池４０の開回路電圧を計測して、負極の劣化を判断してよい。
【００６１】
図５は、蓄電システム２０における充放電制御方法を示すフローチャートである。充放電制御装置３０は、充放電制御方法における各段階の動作を制御する主体であってよい。これを実現するべく、充放電制御装置３０は、充放電制御に必要なＣＰＵ又はＡＳＩＣ及びメモリ等を有してよい。なお、図５のフローチャートは、蓄電システム２０における充放電制御方法の一例を示すに過ぎない。図５のフローチャートの各段階を適宜組み換えてよく、図５のフローチャートの一部の段階を省略してもよく、図５のフローチャートに他の段階を追加してもよい。
【００６２】
本フローチャートにおいて、充放電制御装置３０はまず、正極及び負極の初期の劣化状態を設定する（Ｓ５１２）。蓄電システム２０の運用を最初に開始する場合、劣化状態の初期値として予め定められた劣化状態を設定してよい。蓄電システム２０の運用を再開する場合、直近に判断された正極及び負極の劣化状態を設定してよい。
【００６３】
続いて、充放電制御装置３０は、正極及び負極の劣化状態に応じて、調温装置８０を制御する（Ｓ５１４）。調温装置８０の制御方法については後述する。続いて、充放電制御装置３０は、充放電装置５０を制御して、充放電装置５０の充電回路の動作を開始させる（Ｓ５１６）。
【００６４】
そして、電圧情報取得部３１は、充電中の端子電圧の収集を開始する（Ｓ５１８）。充電中の端子電圧の収集処理は、充電が継続している間に、予め定められた時間間隔で行われる。具体的には、二次電池４０の端子電圧の計測値及び二次電池４０のＳＯＣを、予め定められた時間間隔で取得して、メモリに格納する。これに代えて、二次電池４０の端子電圧及び時間を、予め定められた時間間隔で取得してメモリに格納してもよい。
【００６５】
続いて、充放電制御装置３０は、二次電池４０の状態遷移を判断する（Ｓ５２０）。ここでは、「放電状態への遷移」、「充電状態への遷移」、「調温装置の制御状態への遷移」、及び「運用停止状態への遷移」を取り上げる。
【００６６】
「放電状態への遷移」は、例えば入力電圧異常時などに生じる。二次電池４０を放電状態へ遷移させる場合、充放電制御装置３０は、充放電装置５０を制御して、充放電装置５０の充電回路の動作を停止させる（Ｓ５３０）。そして、充放電制御装置３０は、充放電装置５０の放電回路の動作を開始させる（Ｓ５３２）。これにより、二次電池４０からインバータ２４への電力供給が開始される。具体的には、充放電制御装置３０は、充放電装置５０の放電回路を制御して、二次電池４０の電圧を昇圧してインバータ２４側に出力させる。また、充放電制御装置３０は、充放電装置５０の放電回路のスイッチング動作を制御して、必要量の電力をインバータ２４へ供給させる。また、充放電制御装置３０は、充放電装置５０の充電回路の動作停止に応じて、端子電圧の収集処理を停止させ（Ｓ５３４）、調温装置８０の温度設定を、放電時の設定値として予め定められた基準値に変更する（Ｓ５３６）。そして、Ｓ５２０に動作を移行する。
【００６７】
「充電状態への遷移」は、二次電池４０が放電状態の場合において、例えば入力電圧異常が解消したときなどに生じる。二次電池４０を充電状態へ遷移させる場合、充放電制御装置３０は、充放電装置５０の放電回路の動作を停止させる（Ｓ５４０）。そして、Ｓ５１４に動作を移行する。
【００６８】
「調温装置の制御状態への遷移」は、例えば、二次電池４０の充電中において予め定められた時間が経過する毎に生じる。調温装置の制御状態へ遷移させる場合、Ｓ５５０を実行する。Ｓ５５０については、後述する。
【００６９】
「運用停止状態への遷移」は、例えば、運用停止信号を二次電池４０の外部から受信した場合や、二次電池４０の異常を検出した場合に生じる。停止状態に遷移する場合、充放電制御装置３０は、充放電装置５０の充電回路の動作を停止させて（Ｓ５９０）、蓄電システム２０の動作を終了させる。なお、蓄電システム２０の定期点検を行うために二次電池４０の運用を停止する場合は、Ｓ５９０を実行する前に、予め定められた充電率に達するまで二次電池４０を充電した後、開回路電圧を計測して、電極の劣化状態を判断する処理を実行してもよい。
【００７０】
図６は、二次電池４０の温度設定の制御処理を示すフローチャートである。図６のフローチャートの方法は、図５のＳ５１４及びＳ５５０に適用できる。図６のフローチャートは、蓄電システム２０の充電制御方法における温度設定の制御段階の一例を示すに過ぎない。なお、図６のフローチャートの各段階を適宜組み換えてよく、図６のフローチャートの一部の段階を省略してもよく、図６のフローチャートに他の段階を追加してもよい。
【００７１】
電極劣化判定部３３はまず、正極及び負極の劣化を判定する（Ｓ６００）。例えば、電極劣化判定部３３は、電圧情報取得部３１が取得してメモリに格納されているＳＯＣ−端子電圧のデータを用いて、α'及びβ'／α'を算出する。
【００７２】
続いて、電極劣化判定部３３は、負極が劣化しているか否かを判断する（Ｓ６１０）。負極が劣化していると判断された場合、温度調整部３５は、調温装置８０を制御して、二次電池４０の温度を上昇させ（Ｓ６２０）、本フローチャートの処理を終了する。なお、Ｓ６２０において、温度調整部３５は、二次電池４０の温度が３０〜６０℃の範囲内になるように、温度を設定してよい。Ｓ６２０の処理により、充電抵抗が下がり、充電反応が促進され、硫酸鉛の分解反応が促進され得る。
【００７３】
Ｓ６１０の判断において、負極が劣化していないと判断された場合、温度調整部３５は、調温装置８０を制御して、二次電池４０の温度を低下させ（Ｓ６４０）、本フローチャートの処理を終了する。なお、Ｓ６４０において、温度調整部３５は、二次電池４０の温度が１０〜２０℃の範囲内になるように、温度を設定してよい。Ｓ６４０の処理により、充電抵抗が上がり、電解液の電気分解反応及び正極の腐食反応が抑制され得る。
【００７４】
このように、電極劣化判定部３３は、負極が劣化している場合には、正極が劣化しているか否かにかかわらず、負極の劣化を抑制するべく、二次電池４０の温度を上昇させる。これにより、まだ結晶化されていない分解可能な状態の硫酸鉛の分解を促進することができる。すなわち、正極及び負極が劣化している場合であっても、正極の劣化よりも負極の劣化に優先して対処するべく、二次電池４０の温度を上昇させる。これにより、硫酸鉛の結晶化が促進されることを抑制できる。このように、サルフェーションの抑制をより優先させることが好ましい。
【００７５】
図７は、正極及び負極が劣化しているか否かを判断する基準値を示す。図７のグラフの横軸は、二次電池４０の総運用時間を示す。図７のグラフの縦軸は、電極の劣化度合いを示す。基準ライン７１０は、正極の劣化度合いの基準値を示す。基準ライン７２０は、負極の劣化度合いの基準値を示す。なお、正極の劣化度合いとして、図３等に関連して説明した傾きα'を用いてよい。負極の劣化度合いとして、図３等に関連して説明した傾きの比率β'／α'を適用いてよい。
【００７６】
電極劣化判定部３３は、図６のＳ６１０において負極が劣化しているか否かを判断する場合、現在までの二次電池４０の総運用時間と基準ライン７２０とから、劣化判断基準値を決定する。例えば、二次電池４０の総運用時間がｈである場合、基準ライン７２０から劣化判断基準値Ｄ２を決定する。電極劣化判定部３３は、現在の負極の劣化度合いがＤ２を超える場合に、負極が劣化していると判断する。
【００７７】
なお、温度調整部３５は、現在の負極の劣化度合いがＤ２を超える場合に、現在の負極の劣化度合いとＤ２との差が大きいほど、二次電池４０の温度を高くしてよい。例えば、温度調整部３５は、二次電池４０の温度の上昇幅を、現在の負極の劣化度合いとＤ２との差に比例させてよい。
【００７８】
同様に、電極劣化判定部３３は、図６のＳ６３０において正極が劣化しているか否かを判断する場合、二次電池４０の総運用時間と基準ライン７１０とから、劣化判断基準値を決定する。例えば、二次電池４０の総運用時間がｈである場合、基準ライン７１０から劣化判断基準値Ｄ１を決定する。電極劣化判定部３３は、現在の正極の劣化度合いがＤ１を超える場合に、正極が劣化していると判断する。
【００７９】
なお、温度調整部３５は、現在の正極の劣化度合いがＤ１を超える場合に、現在の正極の劣化度合いとＤ１との差が大きいほど、二次電池４０の温度を低くしてよい。例えば、温度調整部３５は、二次電池４０の温度の減少幅を、現在の正極の劣化度合いとＤ１との差に比例させてよい。
【００８０】
図７に関連して説明したように、電極劣化判定部３３は、二次電池４０の過去の総運用時間に応じて、適切な劣化判断基準値を決定することができる。二次電池４０を運用すると、正極及び負極は、少なくとも徐々に劣化していく。図７に示されるように、電極劣化判定部３３は、正極及び負極の劣化度合いを、運用時間に応じた基準値と比較することで、正極又は負極の劣化が過度に進行しているか否かを適切に判断できる。
【００８１】
以上に説明したように、充放電制御装置３０によれば、端子電圧から負極の劣化及び正極の劣化を適切に判定して、二次電池の充電時の温度を適切に調整することができる。そのため、例えばサルフェーションの進行、電解液の分解や正極腐食の促進を適切に抑制することができる。
【００８２】
また、調温装置８０として、ヒータ等の加熱装置、冷却ファン及び空調装置等を用いることで、充電方法を変えることなく、サルフェーションの進行、電解液の分解や正極の腐食を抑制できる。このため、充電パラメータを複雑に制御する必要がなく、充電制御が複雑にならずに済む。また、多くの場合、二次電池装置の環境温度を管理するために、冷却ファン、空調装置、加熱装置等が用いられる。調温装置８０として、これらの冷却ファン、空調装置、加熱装置等を用いることができる。この場合、調温装置を新たに追加する必要がない。
【００８３】
なお、二次電池４０は、鉛蓄電池に限らない。二次電池４０は、少なくとも電解液を用いた二次電池である。電解液を用いた二次電池としては、鉛蓄電池、ニッケルカドミウム電池、または、ニッケル水素電池などの、水系電解液を用いた二次電池などがある。鉛蓄電池以外の二次電池においても、二次電池４０に関連して説明したような、端子電圧の時間変化から負極の劣化及び正極の劣化を判定して、負極が劣化しているか正極が劣化しているかに応じて二次電池の充電時の温度を調整する制御を適用できる場合がある。
【００８４】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００８５】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００８６】
１０  電源装置
１２  入力端子
１４  出力端子
１６  ノード
２０  蓄電システム
２２  コンバータ
２４  インバータ
３０  充放電制御装置
３１  電圧情報取得部
３３  電極劣化判定部
３５  温度調整部
４０  二次電池
５０  充放電装置
６０  端子電圧計測装置
８０  調温装置
９０  負荷
１００  二次電池装置
１２０  電源システム
２００  端子電圧
２１０  正極電位
２２０  負極電位
２５０、２６０、３５０、３６０  直線
７１０、７２０  基準ライン
【図１】
2017168361.tif 000003
【図２】
2017168361.tif 000004
【図３】
2017168361.tif 000005
【図４】
2017168361.tif 000006
【図５】
2017168361.tif 000007
【図６】
2017168361.tif 000008
【図７】
2017168361.tif 000009